(57)【特許請求の範囲】
【請求項１】
画面を表示する表示部と、
住宅設備を監視又は制御する複数のコントローラとデータ通信を行う通信部と、
前記通信部を介して各コントローラから受信するコンテンツを前記表示部に表示させる制御部と、を備えた画面表示装置において、
前記各コンテンツの所在情報と、該コンテンツを受信することができないときにそれをユーザに通知するためのエラー通知画面とを対応付けたテーブルを予め記憶する記憶部をさらに備え、
前記制御部は、前記コンテンツのいずれかを受信することができないとき、そのコンテンツの所在情報に対応するエラー通知画面を前記記憶部を参照して取得し、それを前記表示部に表示させ、
前記所在情報は、前記コントローラのＩＰアドレス、又は該コントローラが有するコンテンツのＵＲＬとし、
前記エラー通知画面には該エラー通知画面に対応付けられた所在情報で示されるコントローラに関する情報が含まれることを特徴とする画面表示装置。
【請求項２】
前記制御部は、前記表示部の表示領域の一部を指定し、その指定した領域内に前記コンテンツのいずれかを表示させると共に、その領域内に表示するコンテンツを受信することができないとき、そのコンテンツの所在情報に対応し該領域のサイズに予め合ったエラー通知画面を前記記憶部を参照して取得し、それを該領域内に表示することを特徴とする請求項１に記載の画面表示装置。
【請求項３】
前記制御部は、フレームタグ又はインラインフレームタグに基づいて前記表示部の表示領域の一部を指定することを特徴とする請求項２に記載の画面表示装置。
【発明の詳細な説明】
【技術分野】
【０００１】
本発明は、住宅設備を監視又は制御する複数のシステムと接続され、各システムから提供されるコンテンツを表示する画面表示装置に関する。
【背景技術】
【０００２】
従来から、住宅設備を監視又は制御する複数の宅内システムと接続され、それぞれのコントローラとデータ通信を行い、各コントローラからのウェブコンテンツを表示する画面表示装置が知られている（例えば、特許文献１参照）。
【０００３】
ところで、上記の画面表示装置においては、コントローラのいずれかとの通信でエラーが発生し、そのコントローラからコンテンツを受信することができなかった場合、表示画面には、そのコントローラがいずれであっても、ブラウザで予め設定された、図１３に示されるような同じエラー通知画面が表示される。このため、どのコントローラとの通信においてエラーが発生したのかをユーザが把握することは難しく、従って、ユーザは、通信線の接続確認又は電源確認等のエラー解消作業を、どのコントローラに対して行えばよいか分かり辛く、不便であった。特許文献１にはこの問題を解決するための技術が開示されていない。
【特許文献１】特開２００７−２４１４４９号公報
【発明の開示】
【発明が解決しようとする課題】
【０００４】
本発明は、上記の従来の問題を解決するためになされたものであり、住宅設備を監視又は制御し画面表示のためコンテンツを提供する複数のコントローラのうち通信エラーが発生したコントローラをユーザに認識させることができ、それによりエラー解消作業を行い易くすることで、利便性の向上を図ることができる画面表示装置を提供することを目的とする。
【課題を解決するための手段】
【０００５】
上記目的を達成するために本発明は、画面を表示する表示部と、住宅設備を監視又は制御する複数のコントローラとデータ通信を行う通信部と、前記通信部を介して各コントローラから受信するコンテンツを前記表示部に表示させる制御部と、を備えた画面表示装置において、前記各コンテンツの所在情報と、該コンテンツを受信することができないときにそれをユーザに通知するためのエラー通知画面とを対応付けたテーブルを予め記憶する記憶部をさらに備え、前記制御部は、前記コンテンツのいずれかを受信することができないとき、そのコンテンツの所在情報に対応するエラー通知画面を前記記憶部を参照して取得し、それを前記表示部に表示させ、前記所在情報は、前記コントローラのＩＰアドレス、又は該コントローラが有するコンテンツのＵＲＬとし、前記エラー通知画面には該エラー通知画面に対応付けられた所在情報で示されるコントローラに関する情報が含まれることを特徴とする。
【０００６】
前記制御部は、前記表示部の表示領域の一部を指定し、その指定した領域内に前記コンテンツのいずれかを表示させると共に、その領域内に表示するコンテンツを受信することができないとき、そのコンテンツの所在情報に対応し該領域のサイズに予め合ったエラー通知画面を前記記憶部を参照して取得し、それを該領域内に表示することが好ましい。
【０００８】
前記制御部は、フレームタグ又はインラインフレームタグに基づいて前記表示部の表示領域の一部を指定することが好ましい。
【発明の効果】
【０００９】
本発明によれば、住宅設備を監視又は制御しコンテンツを提供する複数のコントローラからコンテンツのいずれかを受信することができないとき、そのコンテンツの所在情報に対応するエラー通知画面が表示部に表示されるので、そのコンテンツを有するコントローラ、すなわち通信エラーが発生したコントローラをユーザに認識させることができる。このため、ユーザはエラー解消作業の対象とすべきコントローラを認識することができてその作業が行い易くなり、利便性が向上する。
【発明を実施するための最良の形態】
【００１１】
以下、本発明の各種実施形態に係る画面表示装置について図面を参照して説明する。
（第１の実施形態）
まず、本発明の第１の実施形態に係る画面表示装置を使用した住宅設備監視制御システム（以下、監視制御システムという）について図１を参照して説明する。図１は、その監視制御システムの構成を示す。この監視制御システム１は、設備機器の監視又は制御、セキュリティ監視若しくはドアホンによる撮像画像の転送等を行う複数のサブシステム１１〜１３を含む。サブシステム１１〜１３の各々のコントローラは、ハブ等で構成される統合管理装置１４と接続されている。本実施形態の画面表示装置２は統合管理装置１４と接続され、上記各コントローラからウェブコンテンツを受信して、それを表示する。上記の各装置及びコントローラの間の接続はＬＡＮケーブル等の通信線でなされ、各装置及びコントローラはＴＣＰ／ＩＰ、ＵＤＰ、ＨＴＴＰ又はＨＴＴＰｓ（Hypertext  Transfer  Protocol  Security）等の通信プロトコルを利用した宅内ネットワークを構成する。統合管理装置１４はインターネット接続装置１５と接続され、インターネット接続装置１５はインターネット１６を介してセンタ装置１７と接続されている。
【００１２】
サブシステム１１は、照明器具、空調機器、電気錠、床暖房システム、電力使用量異常報知器等の１又は複数の設備機器１１ａ（住宅設備）と、設備機器１１ａの制御又は監視を行う設備機器コントローラ１１ｂ（コントローラ）とを備える。
【００１３】
設備機器コントローラ１１ｂは、設備機器１１ａの名称及び動作状態を文字又は記号で表示するための複数のウェブコンテンツを保持しており、画面表示装置２からの要求に応じてそれらの中から適切なウェブコンテンツを選んで画面表示装置２に提供するウェブサーバ機能を有する。
【００１４】
サブシステム１２は、住宅内における異常発生を検知する１又は複数のセキュリティ機器１２ａ（住宅設備）と、セキュリティ機器１２ａによる検知情報を収集し、それに応じて警報音を鳴動するセキュリティ受信器１２ｂ（住宅設備）と、上記検知情報をセキュリティ受信器１２ｂから受け取り、それを画面表示装置２に提供するセキュリティコントローラ１２ｃ（コントローラ）とを備える。
【００１５】
セキュリティコントローラ１２ｃは、セキュリティ受信器１２ｂの動作状態等を文字や記号で表示するための複数のウェブコンテンツを保持しており、画面表示装置２からの要求に応じてそれらの中から適切なウェブコンテンツを選んで画面表示装置２に提供するウェブサーバ機能を有する。
【００１６】
サブシステム１３は、カメラ付きのドアホン子器１３ａ（住宅設備）と、住戸内に設置されてドアホン子器１３ａとの間での通話を可能とする通話機能、及びドアホン子器１３ａによる撮像画像を表示する画面表示機能を有するインターホン親機１３ｂ（住宅設備）と、上記撮像画像をインターホン親機１３ｂから受け取り、それを記憶すると共にセンタ装置１７へ転送する画像転送コントローラ１３ｃ（コントローラ）とを備える。センタ装置１７は撮像画像を携帯電話機等の携帯型端末装置（不図示）に送信する。
【００１７】
画像転送コントローラ１３ｃは、記録している撮像画像の一覧等を開示する複数のウェブコンテンツを保持しており、画面表示装置２からの要求に応じて適切なウェブコンテンツを選んで画面表示装置２に提供するウェブサーバ機能を有する。
【００１８】
なお、監視制御システム１及びそのサブシステム１１〜１３のさらに詳細な構成は、例えば特開２００７−２４１４４９号公報に記載された構成とする。
【００１９】
次に、本実施形態の画面表示装置２について上述の図１を流用し、また図２〜図６（ａ）（ｂ）を参照して説明する。図２は、本実施形態の画面表示装置２の電気的構成を示す。画面表示装置２は、画面を表示する表示部２１と、上述の設備機器コントローラ１１ｂ、セキュリティコントローラ１２ｃ及び画像転送コントローラ１３ｃ（以下、それぞれをコントローラという）とデータ通信を行う通信部２２と、上記各コントローラにより提供されるウェブコンテンツを通信部２２を介して受信し、それを表示部２１に表示させる制御部２３と、を備える。
【００２０】
さらに、画面表示装置２は、上記各ウェブコンテンツの所在情報と、該ウェブコンテンツを受信することができないときにそれをユーザに通知するためのエラー通知画面とを対応付けたテーブルを予め記憶する記憶部２４と、ユーザにより操作されて各種指示が入力される操作部２５と、各種データに応じて音を出力するスピーカ部２６と、装置の各部に電源を供給する電源回路（不図示）とを備える。制御部２３は、上記ウェブコンテンツのいずれかを受信することができないとき、そのウェブコンテンツの所在情報に対応するエラー通知画面を記憶部２４を参照して取得し、それを表示部２１に表示させる。
【００２１】
表示部２１は、液晶ディスプレイ及びその駆動回路を有する。通信部２２は、上述の宅内ネットワークの通信線が接続され、制御部２３と宅内ネットワークとの間のインタフェースとして機能する通信回路で構成される。この通信回路は、例えば、ＬＡＮ規格の一種であるＥｔｈｅｒｎｅｔ(登録商標）規格に準拠して通信を行えるように構成されている。
【００２２】
制御部２３は、マイクロプロセッサで構成することができ、このマイクロプロセッサは、ユーザによる操作に基づいて操作部２５から出力される操作信号に応じて、表示部２２の表示制御、通信部２２による上記各コントローラとの通信制御、各種データの記憶部２４への格納及び記憶部２４からの読み出し、スピーカ部２６の音出力制御等を行う。また、マイクロプロセッサは、表示部２２の表示制御において、各コントローラからのウェブコンテンツと、ＨＴＭＬで記述されたエラー通知画面とをウェブブラウザを用いて解釈し、それを再生して表示部２１に表示する。
【００２３】
記憶部２４は、ＲＯＭ、ＲＡＭ、フラッシュメモリ又はハードディスク装置等の記憶装置で構成することができ、この記録装置には、上述のテーブルに加え、上述のエラー通知画面すなわちエラーを通知するためＨＴＭＬで記述された文書、制御部２３により使用されるウェブブラウザ、及びスピーカ部２６から出力される警報音又は音声メッセージ等の音声データ等が予め格納されている。
【００２４】
操作部２５は、押釦スイッチ及びタッチパネル（後述の押釦スイッチ２５ａ及びタッチパネル２５ｂ）を有し、そのタッチパネルは表示部２１の表示画面上に配設されている。操作部２５は、ユーザによる押釦スイッチ又はタッチパネルの操作に応じた操作信号を制御部２３に送出する。スピーカ部２６は、スピーカ及びその駆動回路を有する。
【００２５】
図３は、画面表示装置２の外観を示す。画面表示装置２は、樹脂部材から成り住宅内の壁面等に埋設される略矩形箱状のハウジング２７を有し、ハウジング２７には、上述の表示部２１、通信部２２、制御部２３、記憶部２４、操作部２５及びスピーカ部２６が内装されている。ハウジング２７の前面には、表示部２１の液晶ディスプレイ２１ａと、操作部２５の各種押釦スイッチ２５ａと、スピーカ部２６からの出力音を外部に放出するための複数の孔２７ａとが設けられている。液晶ディスプレイ２１ａには操作部２５のタッチパネル２５ｂが一体に設けられている。不図示であるが、ハウジング２７の背面には、通信部２２の通信用モジュラジャックと、商用電源線が接続される端子とが露出している。通信用モジュラジャックの形状は、例えば、Ｅｔｈｅｒｎｅｔ(登録商標）規格に準拠したＲＪ−４５形状とする。
【００２６】
図４は、記憶部２４により格納されている上述のテーブルを示す。このテーブルＴ１では、設備機器コントローラ１１ｂ、セキュリティコントローラ１２ｃ及び画像転送コントローラ１３ｃの各々から提供されるウェブコンテンツの所在情報と、通信エラーによってそれらを受信できないときに表示されるエラー通知画面とが対応付けられている。本実施形態においては、各ウェブコンテンツの所在情報として上記各コントローラのＩＰアドレスが登録されているが、上記各コントローラのドメイン名又はホスト名、若しくは各コントローラが有するコンテンツのＵＲＬであってもよい。ここで、一例として、設備機器コントローラ１１ｂ、セキュリティコントローラ１２ｃ、画像転送コントローラ１３ｃのＩＰアドレスを、それぞれ、「192.168.0.5」、「192.168.0.6」、「192.168.0.7」とする。
【００２７】
図５は、制御部２３による画面表示制御処理のフローを示す。まずここで、ユーザが操作部２５を操作して、設備機器コントローラ１１ｂ、セキュリティコントローラ１２ｃ及び画像転送コントローラ１３ｃのいずれかからのウェブコンテンツの取得指示を入力したとする。この入力は、図６（ａ）に示されるように、タッチパネル２５ｂにおいて液晶ディスプレイ２１ａに表示されたアイコンに対応する部位をユーザが指ｆ１で押すことでなされる。
【００２８】
制御部２３は、操作部２５からの操作信号に基づいて、ユーザによる操作部２５への操作入力を検知し（Ｓ１）、取得したいウェブコンテンツを保持するコントローラとの通信を開始する（Ｓ２）。この通信相手のコントローラは、ユーザにより指示されたアイコンにリンク先として所在が対応付けられているウェブコンテンツの提供元である。例えば、上述の図６（ａ）に示されるように、ユーザにより指示された「メニュー」アイコンに対応付けられているリンク先すなわちウェブコンテンツのＵＲＬが「http://192.168.0.6/top.html」である場合、このウェブコンテンツを有するのはセキュリティコントローラ１２ｃであるので、セキュリティコントローラ１２ｃとの通信が開始される。
【００２９】
そして、通信相手のコントローラとの通信においてエラーが発生し、そのコントローラからウェブコンテンツを受信することができなかった場合（Ｓ３でＹｅｓ）、制御部２３は、そのコントローラのＩＰアドレスを取得し、それに対応するエラー通知画面を記憶部２４のテーブルＴ１を参照して選択する（Ｓ４）。上述のＩＰアドレスの取得は、ＵＲＬにＩＰアドレスが含まれる場合、そのＵＲＬからＩＰアドレスを抽出することで行われ、又は予め記憶部２４に格納されているＵＲＬとＩＰアドレスとの対応テーブルを参照することで行われる。そして、制御部２３は、その選択したエラー通知画面を記憶部２４から取得して表示部２１に表示させる（Ｓ５）。
【００３０】
一例として、通信相手がセキュリティコントローラ１２ｃであった場合、そのＩＰアドレスは「192.168.0.6」であるので、テーブルＴ１によれば（上述の図４参照）、それに対応するエラー通知画面は「erromamo.html」である。このため、図６（ｂ）に示されるように、セキュリティコントローラ１２ｃとの接続においてエラーが発生したことを通知するそのエラー通知画面「erromamo.html」が、液晶ディスプレイ２１ａの全画面に表示される。通信相手のコントローラからウェブコンテンツを受信することができた場合には（Ｓ３でＮｏ）、エラー通知画面は表示されず、そのウェブコンテンツが表示され（Ｓ６）、処理が終了する。
【００３１】
本実施形態においては、住宅設備を監視又は制御しコンテンツを提供する上記各コントローラからコンテンツのいずれかを受信することができないとき、そのコンテンツの所在情報に対応するエラー通知画面が表示部２１に表示される。従って、そのコンテンツを有するコントローラ、すなわち通信エラーが発生したコントローラをユーザに認識させることができる。また、上記コンテンツを受信できないのは画面表示装置２の故障等が原因ではないことをユーザに認識させることができる。このため、ユーザはエラー解消作業の対象とすべきコントローラを認識することができてその作業が行い易くなり、利便性が向上する。
【００３２】
（第２の実施形態）
本発明の第２の実施形態に係る画面表示装置の構成部材は、上記第１の実施形態と同じであるので、その説明は上述の図１〜図３を流用して行う。本実施形態の制御部２３は、液晶ディスプレイ２１ａの表示領域の一部を指定し、その指定した領域内に、設備機器コントローラ１１ｂ、セキュリティコントローラ１２ｃ及び画像転送コントローラ１３ｃの各々から提供されるウェブコンテンツのいずれかを表示させる。また、制御部２３は、指定した領域内に表示するウェブコンテンツを受信することができないとき、そのウェブコンテンツの所在情報に対応しその領域のサイズに予め合ったエラー通知画面を記憶部２４のテーブルを参照して取得し、それをその領域内に表示する。
【００３３】
制御部２３は、上述の表示領域の一部指定のため記憶部２４に予め格納されているＨＴＭＬ文書に基づいて液晶ディスプレイ２１ａの表示制御を行う。具体的には、図７に示されるように、上記ＨＴＭＬ文書内のインラインフレームタグ（iframe：丸枠で囲む）に基づいて表示画面にインラインフレームを表示させることで、表示領域の一部を指定する。インラインフレームとは、画面内の所望の位置に、指定された大きさの窓状の表示領域を設けて、その表示領域内にウェブコンテンツを表示させるためのものである。なお、表示領域の一部指定は、フレームタグ（frame）に基づいて表示されるフレームによりなされてもよい。フレームとは、一つの画面を複数の表示領域に区切って、各表示領域内に互いに異なるウェブコンテンツを表示させるためのものである。
【００３４】
また、制御部２３は、上述の指定した領域すなわちインラインフレームで囲った領域内に、上記各ウェブコンテンツのいずれか（以下、第１コンテンツという）を表示させるだけでなく、その領域外にも、その他のウェブコンテンツのいずれか（以下、第２コンテンツという）を表示させる。インラインフレームは、図８に示されるように、液晶ディスプレイ２１ａの表示領域を、そのインラインフレームＩＦ１により囲われて指定される領域、すなわち第１コンテンツが表示される第１コンテンツ表示領域Ａ１と、その周囲を囲い、第２コンテンツが表示される第２コンテンツ表示領域Ａ２とに区分する。
【００３５】
記憶部２４は、第１コンテンツを受信できないときのエラー通知画面（以下、第１エラー通知画面という）と、第２コンテンツを受信できないときのエラー通知画面（以下、第２エラー通知画面という）とを予め記憶している。第１及び第２エラー通知画面はＨＴＭＬで記述されており、第１エラー通知画面のサイズは第１コンテンツ表示領域のサイズ、すなわちインラインフレームのサイズに予め合わせられている。
【００３６】
図９は、本実施形態の記憶部２４に格納されているテーブルを示す。このテーブルＴ２では、テーブル１（上述の図４参照）と同様に、設備機器コントローラ１１ｂ、セキュリティコントローラ１２ｃ及び画像転送コントローラ１３ｃの各々から提供されるウェブコンテンツの所在情報と、それを受信できないときに表示されるエラー通知画面とが対応付けられているが、本実施形態においては、各ウェブコンテンツの所在情報としてそれらのＵＲＬが登録されている。エラー通知画面は上述の第１又は第２エラー通知画面から成る。
【００３７】
テーブルＴ２においては、上記コントローラが複数のウェブコンテンツを有する場合であっても、各ウェブコンテンツのＵＲＬに対してエラー通知画面が対応付けされている。例えば、設備機器コントローラ１１ｂが、設備機器１１ａの名称を設定するためのウェブコンテンツ、設備機器１１ａの電力消費グラフを表示するためのウェブコンテンツ、及び設備機器１１ａを制御するためのウェブコンテンツを有する場合、上述の図９に示されるように、テーブルＴ２においては、各ウェブコンテンツのＵＲＬが、ウェブコンテンツごとに、それを受信できないことを通知するエラー通知画面と対応付けされている。
【００３８】
ここで、本実施形態の制御部２３による画面表示制御処理の一例を説明する。図１０に示されるように、インラインフレームＩＦ１で囲われた第１コンテンツ表示領域Ａ１に、セキュリティコントローラ１２ｃからのウェブコンテンツすなわちセキュリティコンテンツが表示され、第２コンテンツ表示領域Ａ２に、画像転送コントローラからのウェブコンテンツすなわち画像転送コンテンツが表示されているとする。そして、セキュリティコントローラ１２ｃ、画像転送コントローラ１３ｃのＩＰアドレスを、それぞれ、「192.168.0.6」、「192.168.0.7」とし、第１コンテンツ表示領域Ａ１には、「http://192.168.0.6/top.html」をリンク先とする不図示のアイコンが表示され、第２コンテンツ表示領域Ａ２には、「http://192.168.0.7/top.html」をリンク先とする不図示のアイコンが表示されているとする。
【００３９】
ユーザが指で第１コンテンツ表示領域Ａ１内のアイコンを押したとき、制御部２３は、そのアイコンにリンク先としてＵＲＬが対応付けられたウェブコンテンツを有するセキュリティコントローラ１２ｃとの通信を開始する。その通信においてエラーが発生し、上記ウェブコンテンツを受信することができなかった場合、制御部２３は、テーブルＴ２を参照し、ＵＲＬ「http://192.168.0.6/top.html」に対応するエラー通知画面「mamorieerror.html」を取得する。
【００４０】
そして、図１１に示されるように、セキュリティコントローラ１２ｃとの接続においてエラーが発生したことを通知するそのエラー通知画面「mamorieerror.html」が、インラインフレームＩＦ１内に表示される。このエラー通知画面「mamorieerror.html」のサイズはインラインフレームＩＦ１のサイズに予め合わされている。なお、インラインフレームＩＦ１内にエラー通知画面が表示されていても、画像転送コンテンツが受信可能である場合、第２コンテンツ表示領域Ａ２には、それが表示される。
【００４１】
これに対して、ユーザが指で第２コンテンツ表示領域Ａ２内のアイコンを押したときには、制御部２３は、そのアイコンにリンク先としてＵＲＬが対応付けられたウェブコンテンツを有する画像転送コントローラ１３ｃとの通信を開始する。その通信においてエラーが発生し、上記ウェブコンテンツを受信することができなかった場合、制御部２３は、テーブルＴ２を参照し、ＵＲＬ「http://192.168.0.7/top.html」に対応するエラー通知画面「rokutenerror.html」を取得する。そして、図１２に示されるように、画像転送コントローラ１３ｃとの接続においてエラーが発生したことを通知するそのエラー通知画面「rokutenerror.html」が全画面表示される。
【００４２】
本実施形態においては、表示部２１の表示領域の一部すなわち第１コンテンツ表示領域Ａ１に表示するコンテンツを受信することができないとき、そのコンテンツの所在情報に対応し上記の一部の領域のサイズに予め合ったエラー通知画面がその領域内に表示される。従って、そのコンテンツを有するコントローラ、すなわち通信エラーが発生したコントローラをユーザに認識させることができ、かつ上記通信エラー発生時であっても一部の領域以外の表示領域には他のコンテンツを表示することができる。このため、効率的なエラー通知を行うことができる。
【００４３】
なお、本発明は、上記第１及び第２の実施形態の構成に限定されるものでなく、使用目的に応じ、様々な変形が可能である。例えば、ウェブコンテンツの所在情報は、引数が追記されたＵＲＬであってもよい。また、所望のウェブコンテンツの取得指示入力、すなわち液晶ディスプレイ２１ａに表示されたアイコンの選択入力は、タッチパネル２５ｂへの操作に限定されず、押釦スイッチ２５ａへの操作によって可能であっても構わない。また、第２の実施形態のテーブルＴ２において、ウェブコンテンツの所在情報としてそれらのＵＲＬが登録されているが、設備機器コントローラ１１ｂ、セキュリティコントローラ１２ｃ及び画像転送コントローラ１３ｃの各々のＩＰアドレス、ドメイン名又はホスト名であってもよい。
【図面の簡単な説明】
【００４４】
【図１】本発明の第１の実施形態に係る画面表示装置を含む住宅設備監視制御システムの構成図。
【図２】上記装置の電気的ブロック図。
【図３】上記装置の正面図。
【図４】上記装置の記憶部に格納されているテーブルを示す図。
【図５】上記装置の制御部による画面表示制御処理のフローチャート。
【図６】（ａ）は上記装置の表示部におけるコンテンツ表示例を示す図、（ｂ）同表示部に表示されるエラー通知画面の一例を示す図。
【図７】本発明の第２の実施形態に係る画面表示装置の表示部の表示領域を指定するためのＨＴＭＬ文書を示す図。
【図８】上記装置の制御部による表示部のコンテンツ表示を示す図。
【図９】上記装置の記憶部に格納されているテーブルを示す図。
【図１０】上記表示部におけるコンテンツ表示例を示す図。
【図１１】上記表示部に表示されるエラー通知画面の一例を示す図。
【図１２】上記とは別のエラー通知画面の例を示す図。
【図１３】従来の画面表示装置における通信エラー時のエラー通知画面を示す図。
【符号の説明】
【００４５】
１  住宅設備監視制御システム
１１ａ  設備機器（住宅設備）
１１ｂ  設備機器コントローラ（コントローラ）
１２ａ  セキュリティ機器（住宅設備）
１２ｂ  セキュリティ受信器（住宅設備）
１２ｃ  セキュリティコントローラ（コントローラ）
１３ａ  ドアホン子器（住宅設備）
１３ｂ  インターホン親機（住宅設備）
１３ｃ  画像転送コントローラ（コントローラ）
２  画面表示装置
２１  表示部
２２  通信部
２３  制御部
２４  記憶部
Ｔ１、Ｔ２  テーブル
【図１】
0005312809.tif 000002
【図２】
0005312809.tif 000003
【図３】
0005312809.tif 000004
【図４】
0005312809.tif 000005
【図５】
0005312809.tif 000006
【図６】
0005312809.tif 000007
【図７】
0005312809.tif 000008
【図８】
0005312809.tif 000009
【図９】
0005312809.tif 000010
【図１０】
0005312809.tif 000011
【図１１】
0005312809.tif 000012
【図１２】
0005312809.tif 000013
【図１３】
0005312809.tif 000014